(57)【要約】  【課題】  ダウンロード途中に電池の残存容量が不足して電池切れによるダウンロード中断を防止する。  【解決手段】  デジタル放送受信装置は、ダウンロードスケジュールの告知に使用される情報を受信する受信手段と、該受信手段が受信した情報により告知されたダウンロードすべきコンテンツのサイズを参照し、当該コンテンツのダウンロード動作に必要な電池の容量を確保する制御手段と、を備える。【選択図】  図１
2007013457.tif 000002
【特許請求の範囲】
【請求項１】
ダウンロードスケジュールの告知に使用される情報を受信する受信手段と、
該受信手段が受信した情報により告知されたダウンロードすべきコンテンツのサイズを参照し、当該コンテンツのダウンロード動作に必要な電池の容量を確保する制御手段と、
を備えるデジタル放送受信装置。
【請求項２】
前記制御手段は、前記コンテンツのダウンロード動作に必要な電池の容量を確保した後、該電池の残存容量が所定値にまで減少した場合に、該電池の消費を抑えるセービングモードに移行することを特徴とする請求項１記載のデジタル放送受信装置。
【請求項３】
前記制御手段は、前記確保したコンテンツのダウンロード動作に必要な電池の容量を差し引いた電池の容量を表示部に表示することを特徴とする請求項１記載のデジタル放送受信装置。
【請求項４】
前記制御手段は、前記電池が充電された場合、再度前記告知されたダウンロードすべきコンテンツのサイズを参照し、当該コンテンツのダウンロード動作に必要な電池の容量を確保することを特徴とする請求項１記載のデジタル放送受信装置。
【請求項５】
前記制御手段は、前記電池の容量を確保したコンテンツの放送期間を過ぎた場合、当該電池の容量の確保を解除することを特徴とする請求項１記載のデジタル放送受信装置。
【請求項６】
前記制御手段は、前記告知されたダウンロードが強制ダウンロードのコンテンツの場合、自動的に前記電池の容量を確保し、任意ダウンロードのコンテンツの場合、前記電池の容量を確保するかどうかをユーザが設定するようにしたことを特徴とする請求項１記載のデジタル放送受信装置。
【請求項７】
前記制御手段は、前記電池の容量を確保しているコンテンツを一次ダウンロード予約テーブルに登録し、告知されているが前記電池の容量を確保していないコンテンツを二次ダウンロード予約テーブルに登録することを特徴とする請求項１記載のデジタル放送受信装置。
【請求項８】
前記制御手段は、放送開始まで所定期間以上ある場合には、当該コンテンツを二次ダウンロード予約テーブルに登録することを特徴とする請求項７記載のデジタル放送受信装置。
【請求項９】
前記制御手段は、前記電池の容量が増加した場合、前記二次ダウンロード予約テーブルに登録されたコンテンツを前記一次ダウンロード予約テーブルに登録するか否かを判定することを特徴とする請求項７記載のデジタル放送受信装置。
【発明の詳細な説明】
【技術分野】
【０００１】
本発明はデジタル放送受信装置に関する。特に、本発明は電池（バッテリ）の残存容量を考慮して予約処理を行うデジタル放送受信装置に関する。
【背景技術】
【０００２】
近年、携帯電話機にテレビチューナを内蔵するデジタル放送受信装置が知られている。また、地上波デジタル放送または衛星デジタル放送では、主に携帯性の高い小型放送受信装置向けに、１または３セグメントの伝送帯域を使用した放送が予定されている。
【０００３】
ところで、デジタル放送では多種多様なサービス機能が拡張されていく可能性があり、放送受信装置がその機能に追従するため放送受信装置用ソフトウェアを放送受信装置にダウンロードさせる仕組がある。
その仕組みは、先ず、予めダウンロード用ソフトウェアを送信（放送）する時刻をSDTTとして各放送局から放送する。そして、この受信したSDTTに基づいて放送受信装置が受信予約を行い、自動的にソフトウェアの受信と入替えを実施するものである。
【０００４】
しかしながら、バッテリにより駆動する放送受信装置においては、予約時間に電池の残存容量が十分であり、確実に予約したデジタル放送内容がダウンロードできるか否かが問題となる。
【０００５】
上記のような、バッテリにより駆動する装置でのデータ送信・受信問題に対して、例えば、電池の残存容量から送信可能なデータサイズを推定し、送信したいデータが送信可能なデータサイズ以上であればユーザに警告することで、前もってデータの一部が送信不可能であることをユーザに知らせる技術が提案されている（例えば、特許文献１参照）。
【０００６】
また、指定した機能を指定した時間だけ動作させることが可能な電池の残存容量を計算し、現在の電池の残存容量が計算されたバッテリ残量以下になると自動的に電源を切断することも提案されている（例えば、特許文献２参照）。
【特許文献１】特開２００４−４０４５７公報
【特許文献２】特開２００４−３２３７８号公報
【発明の開示】
【発明が解決しようとする課題】
【０００７】
しかしながら、特定の機能をオフにしてデジタル放送受信装置の消費電力を節電することにより動作時間の延長を図っている技術を用いても、ダウンロードコンテンツの通知時（告知時）に当該コンテンツをダウンロードできるだけの電池の残存容量が保証されているわけではない。例えば、通知時に通知されたダウンロードコンテンツのサイズが既に現在の電池の残存容量でダウンロードできるサイズよりも大きいとき、そのまま特定の機能をオフにしていても通知に基づく受信時にはダウンロードを開始してからダウンロードが途中で途切れてしまうという問題が生じる。
【０００８】
また、このように通知されたダウンロードコンテンツのサイズと電池の残存容量からダウンロードを開始すればダウンロードが途中で途切れてしまうことがわかっていながらも特定の機能をオフにしてデジタル放送受信装置内の節電をしても、電池を充電しない限り完全にダウンロードできないので無駄にデジタル放送受信装置の機能を制限してしまう。
【課題を解決するための手段】
【０００９】
本発明のデジタル放送受信装置は、ダウンロードスケジュールの告知に使用される情報を受信する受信手段と、該受信手段が受信した情報により告知されたダウンロードすべきコンテンツのサイズを参照し、当該コンテンツのダウンロード動作に必要な電池の容量を確保する制御手段と、を備えることを特徴とする。
【発明の効果】
【００１０】
本発明によれば、ダウンロード途中に電池の残存容量が不足して電池切れによるダウンロード中断を防止することができる。
【発明を実施するための最良の形態】
【００１１】
図１に本発明の第１実施の形態として、録画／視聴予約機能付きデジタル放送受信装置（以下、デジタル放送受信装置）１００の構成図を示す。
図１に示したデジタル放送受信装置１００の構成は、本発明の主題とする電池容量管理を行う部分を中心に示しており、デジタル放送を受信して試聴するための種々の他の構成は省略している。また、デジタル放送受信装置１００には、携帯電話機などを搭載することもできるが、図１の構成には示していない。
【００１２】
デジタル放送受信装置１００は、受信アンテナ２００に接続されている放送受信部１０１、表示部１０２、計時部１０３、記憶部１０４、電池容量監視部１０５、ソフトウェア・ダウンロード・トリガー・テーブル情報（ＳＤＴＴ：Software Download Trigger Table ）処理部１０６、ダウンロード予約管理部１０７、電池残量表示制御部１０８、電池（バッテリ）１１０を有する。
【００１３】
なお、ＳＤＴＴ処理部１０６、ダウンロード予約管理部１０７、電池残量表示制御部１０８を総称して制御部１２０と呼ぶ。
制御部１２０は、例えば、コンピュータのＣＰＵ、ＲＯＭ、ＲＡＭなどを用いて構成することができ、例えば、ＲＯＭに格納された各種プログラムをＣＰＵで動作させることにより、下記に述べる、ＳＤＴＴ処理部１０６、ダウンロード予約管理部１０７、電池残量表示制御部１０８の処理を遂行することができる。
また、制御部１２０において、ＳＤＴＴ処理部１０６、ダウンロード予約管理部１０７、電池残量表示制御部１０８と区分しているのは例示であり、全体として、下記に述べる、ＳＤＴＴ処理部１０６、ダウンロード予約管理部１０７、電池残量表示制御部１０８の処理を遂行できるものであれば、このような例示した構成に限定されない。
【００１４】
電池１１０は、デジタル放送受信装置１００内の上述した部分に電源を供給する。
電池１１０は充電可能な二次電池、例えば、リチウム・イオン電池などを用いることができる。
【００１５】
放送受信部１０１は、例えば、地上波デジタル放送または衛星デジタル放送などのデジタル放送波を受信アンテナ２００を介して受信したとき、受信した放送波を中間周波数帯域、さらにベースバンド帯域まで周波数変換を行い、所望の復調処理を行う。
復調されたデジタル放送内容のうち、ユーザによって選択されたチャンネルが取り出されて、映像が表示部１０２に表示され、音声が図示しないスピーカから出力される。ユーザが要求した通常の視聴処理については記述を省略し、以下、ダウンロード処理を中心に述べる。
放送受信部１０１で復調されたデジタル放送内容に、ダウンロード管理情報である、ソフトウェア・ダウンロード・トリガー・テーブル情報が含まれているとき、ＳＤＴＴ処理部１０６は次の処理を行う処理される。
【００１６】
ＳＤＴＴ処理部１０６は、放送受信部１０１により受信された、ダウンロード管理情報である、ＳＤＴＴ情報を解釈し、当該デジタル放送受信装置１００に関係するダウンロードコンテンツがあるかどうか判断し、あればそのダウンロードコンテンツに関する情報を取り出す。
【００１７】
ダウンロード予約管理部１０７はＳＤＴＴ処理部１０６により通知されダウンロード予約されたダウンロードコンテンツに関して、その配信（放送）開始日時、配信（放送）期間、コンテンツの容量などの情報を記憶部１０４に記録し、計時部１０３から出力される時間を参照して、それらを管理する。
【００１８】
電池容量監視部１０５は電池１１０の電池容量（残存容量）を測定し、あるいは、計算し、求めた現在の電池１１０の残存容量（残量）から、図３（後述）に示す一次ダウンロード予約テーブルに登録されたコンテンツのダウンロードに必要な電力量を差し引いた残量（真の電池１１０の残量と区別するため、以降、これを差し引き電池残量と呼ぶ）を計算する。
差し引き電池残量が閾値以下であれば、電池容量監視部１０５は、デジタル放送受信装置１００におけるダウンロードに必要な機能以外のすべての機能（部分）を停止するようにデジタル放送受信装置１００の各部への通知して動作を停止させるか、または、そのような部分への電池１１０の給電を停止するように、制御する。
電池容量監視部１０５を制御部１２０に含めることもできる。
【００１９】
電池残量表示制御部１０８は、電池容量監視部１０５で求めた電池１１０の差し引き電池残量を表示部１０２に表示する。
【００２０】
表示部１０２は、デジタル放送受信装置１００を使用しているユーザの視聴中の映像や、デジタル放送受信装置１００の電池の残量などを表示する。
表示部１０２は、例えば、液晶表示器や有機パネルを用いて構成される。
【００２１】
記憶部１０４は、各種情報を記憶する記憶部であって、図３を参照して述べた一次ダウンロード予約テーブル、二次ダウンロード予約テーブルなども記憶する。
記憶部１０４は、制御部１２０のコンピュータのＲＡＭを用いることもできる。
【００２２】
計時部１０３は、デジタル放送受信装置１００内の現在の時間（時刻）信号を出力する。
計時部１０３は、制御部１２０のコンピュータのタイマーを流用することができる。
【００２３】
以上述べたことからも明らかなように、ＳＤＴＴ処理部１０６、ダウンロード予約管理部１０７、電池残量表示制御部１０８、計時部１０３、記憶部１０４、電池容量監視部１０５を、制御部１２０として構成することもできる。
【００２４】
デジタル放送受信装置の動作
図１に示したデジタル放送受信装置１００の動作を図２、図３、図４、図５、図６を用いて示す。
【００２５】
図２は、ダウンロードスケジュールの告知に使用されるＳＤＴＴを受信したときのデジタル放送受信装置１００の処理の流れを示すフローチャートである。
【００２６】
ステップ１
ＳＤＴＴ処理部１０６は、受信したＳＤＴＴ（ソフトウェア・ダウンロード・トリガー・テーブル）情報を解析する。
【００２７】
ステップ２
ＳＤＴＴ処理部１０６は、ＳＤＴＴを解析した結果のdownload levelから強制ダウンロード（ＤＬ）方式でコンテンツをダウンロードするか、任意ダウンロード方式でコンテンツをダウンロードするかを判断する。
なお、強制ダウンロード方式でコンテンツをダウンロードする場合は、下記の処理を行う。任意ダウンロード方式でコンテンツをダウンロードする場合は、ユーザに選択させるなどしてダウンロード予約するか否かを判断する。ユーザが選択した場合に下記の処理を行う。
【００２８】
ステップ３
コンテンツのダウンロードを予約するに当たって、ＳＤＴＴ処理部１０６は、ＳＤＴＴに含まれるダウンロードコンテンツ記述子のcomponent sizeに記載されるダウンロードすべきコンテンツ（コンポーネント）の容量（サイズ）から、そのコンテンツをダウンロードするために、デジタル放送受信装置１００において必要な電力量ＰDLを見積もる。
あるいは、さらに、ＳＤＴＴ処理部１０６は、電池容量監視部１０５で検出した現在の電池１１０の残存容量Ｐから、上記見積もったコンテンツをダウンロードするために必要な電力量ＰDLを減じて、そのコンテンツをダウンロードした場合における電池１１０の残存容量を推定する。
【００２９】
上記ダウンロード動作（処理）に必要な電池の電力量ＰDLとは、例えば、そのコンテンツをダウンロードするためにデジタル放送受信装置１００において必要な機能（部分）以外を停止して、あるいは、ダウンロードに必要な機能（部分）以外への電池１１０からの給電を停止して、デジタル放送受信装置１００で、そのコンテンツをダウンロード動作（処理）するのに最低限必要な電力量をいう。
デジタル放送受信装置１００においてコンテンツをダウンロードするために動作する必要な部分は事前に分かっており、その部分の単位時間当たりの消費電力は事前に分かっているから、ダウンロードすべきコンテンツの量が分かれば、ＳＤＴＴ処理部１０６において、そのコンテンツをダウンロード動作（処理）するための必要とされる電力量は推定できる。
【００３０】
電池容量監視部１０５は常時、電池１１０の残存容量を監視（測定）しており、その結果は、制御部１２０、例えば、電池残量表示制御部１０８、ダウンロード予約管理部１０７、ＳＤＴＴ処理部１０６に出力される。
また、電池容量監視部１０５は、監視している電池１１０の残存容量を計算してもよい。すなわち、電池１１０の種類が特定されると、電池１１０の現在の電圧などから、電池１１０の残存容量が計算できるからである。
【００３１】
電池残量表示制御部１０８は現在の電池１１０の残存容量を連続的に、表示部１０２に表示することができる。
電池容量監視部１０５で測定した電池１１０の残存容量は、ＳＤＴＴ処理部１０６、ダウンロード予約管理部１０７において下記の処理を行うために利用される。
【００３２】
ステップ４
ＳＤＴＴ処理部１０６は、そのコンテンツをダウンロード動作（処理）するための差し引き電池残量（一次ダウンロード予約テーブルに登録されたコンテンツのダウンロード動作（処理）に必要な電力量を差し引いた残量）があるか否かをチェックする。
そのチェックの方法としては、ＳＤＴＴ処理部１０６は、差し引き電池残量ＰCUR ＞ＰDLであるか、（ＰCUR −ＰDL）が正のある値以上であることを確認する。
電池１１０にそのコンテンツをダウンロード動作（処理）できるだけの差し引き電池残量が存在する場合、ステップ５の処理に移行する。
電池１１０にそのコンテンツをダウンロード動作（処理）するだけの差し引き電池残量が存在しない場合、ステップ９の処理に移行する。
【００３３】
ステップ５
電池１１０がコンテンツをダウンロード動作（処理）するだけの差し引き電池残量を残している場合、ＳＤＴＴ処理部１０６はさらに、そのコンテンツの配信（放送）開始日時Ｔcontが計時部１０３で示される現在時刻Ｔcur から一定期間（時間）内にあるか否かをチェックする。
コンテンツの配信（放送）開始日時Ｔcontが現在時刻Ｔcur から一定期間内にある場合は、ステップ６以降の処理を行う。そうでない場合は、ステップ８の処理に移行する。
【００３４】
ステップ６、７
ＳＤＴＴ処理部１０６は、電池１１０にそのコンテンツをダウンロードできるだけの差し引き電池残量があり、かつ、コンテンツの配信（放送）開始日時Ｔcontが現在時刻Ｔcur から一定期間内にある場合は、そのコンテンツの予約を記憶部１０４内の一次ダウンロード予約テーブルに登録する。即ち、ＳＤＴＴ処理部１０６は、一次ダウンロード予約テーブルに、当該コンテンツの配信（放送）開始日時、配信（放送）期間、コンテンツ容量を登録する。
その後、ＳＤＴＴ処理部１０６は、そのコンテンツをダウンロードした場合の電池１１０の、差し引き電池残存容量の更新処理を行う。差し引き電池残存容量の更新処理の詳細は、図４を参照して述べる。
【００３５】
ここで、図３（ａ）〜（ｃ）にダウンロード予約テーブルの例を示す。
ダウンロード予約テーブルは、一次ダウンロード予約テーブルと、二次ダウンロード予約テーブルとがある。
これらの予約テーブルは記憶部１０４に格納されている。
【００３６】
一次ダウンロード予約テーブルは、図３（ａ）に例示したように、ダウンロードするために電池１１０の容量が予約（確保）されているコンテンツの情報が登録されるテーブルである。たとえば、コンテンツを識別する識別番号（例えば、コンテンツ１）と、そのコンテンツの配信（放送）開始年、月、日、時間と、配信（放送）期間と、配信（放送）容量と、強制ダウンロードか任意ダウンロードかのダウンロードの種類が登録される。
【００３７】
他方、図３（ｂ）に例示した、二次ダウンロード予約テーブルは、（ａ）ステップ５、８（後述）に示すように、そのコンテンツをダウンロード動作（処理）でるだけの差し引き電池残量がありながら、配信（放送）開始までは所定時間以上ある場合、または、（ｂ）ステップ４、１０（後述）に示すように、そのコンテンツをダウンロードするだけの差し引き電池残量がない場合に、そのコンテンツを識別する識別番号（例えば、コンテンツ３）と、そのコンテンツの配信（放送）開始年、月、日、時間と、配信（放送）期間と、配信（放送）容量と、強制ダウンロードか任意ダウンロードかのダウンロードの種類が登録される。
【００３８】
引き続き図２の処理の流れを説明する。
ステップ５、８
ＳＤＴＴ処理部１０６は、電池１１０がそのコンテンツをダウンロードするだけの電力量以上に差し引き電池残量があるが、そのコンテンツの配信（放送）開始日時まで時間的余裕がある場合には、一次ダウンロード予約テーブルへのそのコンテンツのダウンロード予約を行わず、そのコンテンツのダウンロードの予約を二次ダウンロード予約テーブルに追加する。
【００３９】
ステップ３、９〜１０
ＳＤＴＴ処理部１０６は、電池１１０がそのコンテンツをダウンロード動作（処理）するだけの電力量以上に差し引き電池残量ないと判断した場合、即ち、現在の差し引き電池残量Ｐcur が、見積もったコンテンツをダウンロード動作（処理）するために必要な電力量ＰDL未満の場合、現在の差し引き電池残量ではそのコンテンツのダウンロードが不可能なため、ＳＤＴＴ処理部１０６は電池１１０の充電を促すメッセージをユーザに提示する。例えば、ＳＤＴＴ処理部１０６は電池残量表示制御部１０８を介して表示部１０２に電池１１０の充電を促すメッセージを表示させてユーザに充電が必要なことを報知する。
さらにＳＤＴＴ処理部１０６は、電池１１０の充電後にそのコンテンツについてダウンロード予約するため、二次ダウンロード予約テーブルにそのコンテンツの諸情報を登録する。
【００４０】
また、二次ダウンロード予約テーブルから一次ダウンロード予約テーブルへの書き換えについて説明する。
図３（ｃ）に例示したように、ステップ９のメッセージに応じてユーザが電池１１０の充電を行い、電池１１０が所定の残存容量に復帰した結果、差し引き電池残量においてもステップ１０において二次ダウンロード予約テーブルに登録した、例えば、図３（ｂ）に示したコンテンツ３がダウンロード可能になると判断すると、そのコンテンツの配信（放送）開始時間（年、月日も含む）が現在の時間から所定の時間内に入ったとき、ダウンロード予約管理部１０７によって、二次ダウンロード予約テーブルの該当するコンテンツの情報が一次ダウンロード予約テーブルに移される。
このように、一次ダウンロード予約テーブル、二次ダウンロード予約テーブルの内容は、デジタル放送受信装置１００の状態、たとえば、電池１１０の残存容量（若しくは差し引き電池残量）と、ダウンロードすべきコンテンツの情報に応じて更新される。
【００４１】
以上のように一次ダウンロード予約テーブル、二次ダウンロード予約テーブルに登録されたコンテンツ受信（ダウンロード）の管理はダウンロード予約管理部１０７で行う。なお、ダウンロード予約管理部１０７の処理は、図５を参照して後述する。
【００４２】
なお、図２を参照して述べた上記処理はダウンロード以外の機能停止時にはＳＤＴＴは受信できないため実行されない。
【００４３】
次に、差し引き電池残存容量更新処理について説明する。
図４は図２のステップ７の差し引き電池残量更新処理の詳細を示すフローチャートである。この処理は制御部１２０により行われる。
【００４４】
ステップ２１
差し引き電池残存容量更新にあたり、電池容量監視部１０５により監視された電池１１０の残存容量Ｘ、一次ダウンロード予約テーブルに登録されている全コンテンツのダウンロードに必要な電池残量Ｙが算出される。
【００４５】
ステップ２２，２３
ＳＤＴＴ処理部１０６は、（Ｘ−Ｙ）が最低限の電池残存容量δ未満であれば、ダウンロードに必要な機能（部分）以外の機能（部分）を停止させる（制御部１２０により電池の消費を抑えるバッテリーセービングモードに移行する）。
【００４６】
ダウンロードに必要な機能（部分）以外の機能（部分）を停止させる（電池の消費を抑えるバッテリーセービングモードに移行する）とは、装置にとって最低限必要な動作を除く動作を停止させる（規制する）ことを意味するものであって、たとえば、時刻補正、ＥＰＧ受信などのためのデジタル放送の間欠受信動作を一時的に停止したり、映像などのコンテンツの再生を禁止したりすることなどが好ましい。
また、携帯電話機などの通信手段を備えているデジタル放送受信装置１００の場合では、携帯電話機として最低限必要な機能ではなく、たとえばユーザが任意に設定している定期的なインターネットへの自動接続を禁止したり、電卓やゲームなどのアプリケーションの起動を禁止したりすることなどが好ましい。
【００４７】
ステップ２４
（Ｘ−Ｙ）が最低限の電池残存容量δ以上であれば、ＳＤＴＴ処理部１０６は、電池１１０の残存容量で、コンテンツのダウンロード以外の操作（処理）が可能なので、制御部１２０はダウンロードに必要な機能（部分）以外の機能（部分）が停止中であるか否かを判断する。
【００４８】
ステップ２５、２６
ダウンロード以外の機能（部分）が停止中であれば、制御部１２０はそれを解除し（本処理はダウンロード以外の機能停止時にも実行され得る）、さらに、差し引き電池残存容量を（Ｘ−Ｙ−δ）として更新する。
なお、更新した電池残存容量は、電池残量表示制御部１０８を介して表示部１０２に表示できる。
また、差し引き電池残存容量更新処理は、電池が充電された場合にも再度更新される。
【００４９】
次に、ダウンロード予約されたコンテンツの自動ダウンロードの管理処理について説明する。
図５は、ダウンロード予約されたコンテンツの自動ダウンロードのための管理処理の流れを示すフローチャートである。
【００５０】
ステップ３１，３２，３３、３４
ダウンロード予約管理部１０７は、計時部１０３の出力時間、すなわち、現在時刻が、一次ダウンロード予約テーブルに登録されているコンテンツの配信（放送）開始日時から、その配信（放送）終了日時までの間であれば、当該コンテンツのダウンロード（受信）を開始する。
上記ダウンロード（受信）が終了したら、ダウンロード予約管理部１０７は、一次ダウンロード予約テーブルからダウンロードが終了したコンテンツの登録内容を削除する。
【００５１】
ステップ３２，３４
一方、計時部１０３で示されるデジタル放送受信装置１００の現在時刻がコンテンツの配信（受信）終了日時を過ぎている場合は、電源がオフになっていたか放送電波の受信できない地域にいたなどの理由でコンテンツがダウンロード（受信）できなかったことを示しているため、当該コンテンツの登録内容を一次ダウンロード予約テーブルから削除する。
【００５２】
ステップ３５
予約解除を行えば、電池１１０の差し引き電池残量にも変化が生じるため、ダウンロード予約管理部１０７は制御部１２０を介し、図４を参照して述べた差し引き電池残量更新処理を行う。
【００５３】
ステップ３６
その後、ダウンロード予約管理部１０７は、二次ダウンロード予約テーブルの処理を行う。
二次ダウンロード予約テーブルの処理の詳細を図６を参照して述べる。
【００５４】
図６は二次ダウンロード予約テーブルの処理を示すフローチャートである。なお、二次ダウンロード予約テーブルの例は図３（ｂ）、（ｃ）に示している。
二次ダウンロード予約テーブルの処理は、ダウンロード予約管理部１０７により、電池１１０の充電や予約の解除により差し引き電池残存容量が増加した後、または一定間隔ごとに実行される。
【００５５】
ステップ４１、４２
ダウンロード予約管理部１０７は、二次ダウンロード予約テーブルに登録されているコンテンツの登録内容をＣXとすると、コンテンツＣXのダウンロード期間が既に終了している場合には二次ダウンロード予約テーブルからＣXを削除する。
【００５６】
ステップ４３、４４、４５、
コンテンツＣXのダウンロード動作（処理）に必要な電力量が現在の差し引き電池残存容量で足り（Ｓ４３）、かつ、コンテンツＣXの配信（放送）開始日時が現在時刻から一定期間内にあると判定した場合（Ｓ４４）、ダウンロード予約管理部１０７は、コンテンツＣXを二次ダウンロード予約テーブルから削除し（Ｓ４５）、一次ダウンロード予約テーブルに登録し（Ｓ４６）、差し引き電池残存容量を更新する（Ｓ４７）。
なお、コンテンツの容量や配信（放送）期間などを考慮して（Ｓ４３、Ｓ４４）一次ダウンロード予約テーブルへの登録を行わなくても良い。
【００５７】
図３（ｂ）、（ｃ）に示したダウンロード予約テーブルでは、コンテンツ３について、まず一次ダウンロード予約テーブルへの登録を試みるが、例えば、電池１１０の残存容量（差し引き電池残存容量でも良い）、配信（放送）容量、ダウンロードの種類などを考慮して、そのコンテンツ３のダウンロードが不可能である場合、二次ダウンロード予約テーブルに登録している。
また、コンテンツの容量や配信（放送）期間などを考慮して、効率が良くなるよう一次ダウンロード予約テーブルと二次ダウンロード予約テーブルのコンテンツの入れ替え判定を行っても良い。
例えば、ダウンロード予約管理部１０７は、配信（放送）終了日時が近いものはなるべく一次ダウンロード予約テーブルに置くように入れ替える。ただし、現在の電池１１０の残存容量（差し引き電池残存容量でも良い）でダウンロードできる容量しか一次ダウンロード予約テーブルに登録（追加）することはできない。また、本ダウンロード予約テーブルに登録されたコンテンツは、ユーザ操作により予約解除が行える。
【００５８】
図３（ｃ）の例は、図２のステップ９の電池１１０への充電メッセージに応じてユーザが電池１１０の充電を行った結果、差し引き電池残存容量がコンテンツ３をダウンロードできるようになったため、そして、配信時間が所定時間内に入ったため、二次ダウンロード予約テーブルから一次ダウンロード予約テーブルに移された例を示している。
【００５９】
ここで、任意ダウンロード方式について説明する。
図７に、表示部１０２に表示される、任意ダウンロードコンテンツのユーザ設定画面の一例を示す。
ユーザが本設定で任意ダウンロードコンテンツを自動的にダウンロードするよう設定しておくと、ＳＤＴＴ処理部１０６により、任意ダウンロードコンテンツも強制ダウンロードコンテンツと同様にダウンロード予約され、自動的にダウンロードされるようになる。
【００６０】
以上述べたように、本発明の実施の形態においては、コンテンツのダウンロード通知時（告知時）に告知されたダウンロードすべきコンテンツのサイズを参照し、当該コンテンツのダウンロード動作に必要なデジタル放送受信装置の電池の容量（電力量）を予約（確保）する。
その結果、本発明の実施の形態によれば、ダウンロード途中に電池の残存容量が不足して電池切れによるダウンロード中断を防止することができる。
また、ダウンロード通知（告知）に含まれるコンテンツ情報から自動的に電池容量（電力量）を予約（確保）するため、ユーザはダウンロードのための電池１１０の残存容量を気にすることなく通常通りデジタル放送受信装置１００における他の機能を使用できる。
【００６１】
また、ダウンロード通知時（告知時）にダウンロード動作（処理）に必要な電池の容量（電力量）を予約（確保）できなかった場合、ユーザはその段階で電池１１０の充電を促すメッセージにより充電が必要であることを知ることができる。
【００６２】
また、ダウンロード通知時（告知時）にダウンロード動作（処理）に必要な電池の容量（電力量）を予約（確保）できなかった場合、現時点に対してまだ配信（放送）期間に時間的にゆとりのあるものに対しては電池の容量（電力量）の予約（確保）は行わずに、二次ダウンロード予約テーブルに通知内容を保存しておくことで、ユーザに対して不必要な通知（警告）を回避することが出来る。なお、この場合、電池１１０の充電後などに電池の容量（電力量）を予約（確保）が可能になった段階で電池の容量（電力量）を予約（確保）することができるので、ダウンロードし忘れることも無くなる。但しこの二次ダウンロード予約テーブルに保存しているものであっても、配信（放送）期間が迫ってきたものに対しては、充電を促すメッセージにより充電が必要であることをユーザに対して通知（警告）する。
【００６３】
本発明は上述した実施の形態には限定されてない。
たとえば、本発明の実施の形態のデジタル放送受信装置としては、携帯電話機能を有することができるので、所謂デジタル放送受信機能付き携帯電話装置も含まれる。
【図面の簡単な説明】
【００６４】
【図１】図１は本発明のデジタル放送受信装置の第１実施の形態の構成図である。
【図２】図２は図１に示したデジタル放送受信装置の動作を示すフローチャートである。
【図３】図３（ａ）〜（ｃ）は、図１のデジタル放送受信装置で用いる一次ダウンロード予約テーブルと二次ダウンロード予約テーブルとを示す図である。
【図４】図４は図１示したデジタル放送受信装置の動作を示すフローチャートである。
【図５】図５は、図１のデジタル放送受信装置において、ダウンロード予約されたコンテンツの自動ダウンロードのための管理処理の流れを示すフローチャートである。
【図６】図６は二次ダウンロード予約テーブルの処理を示すフローチャートである。
【図７】図７は任意ダウンロードコンテンツのユーザ設定画面の一例を示す図である。
【符号の説明】
【００６５】
１００…デジタル放送受信装置
１０１…放送受信部、１０２…表示部、１０３…計時部
１０４…記憶部、１０５…電池容量監視部
１０６…ＳＤＴＴ（ソフトウェア・ダウンロード・トリガー・テーブル                ）処理部
１０７…ダウンロード予約管理部、１０８…電池残量表示制御部
１２０…制御部
１１０…電池
２００…受信アンテナ
【図１】
2007013457.tif 000003
【図２】
2007013457.tif 000004
【図３】
2007013457.tif 000005
【図４】
2007013457.tif 000006
【図５】
2007013457.tif 000007
【図６】
2007013457.tif 000008
【図７】
2007013457.tif 000009